(57)【特許請求の範囲】
【請求項１】
柱の２つの桁取付面に、２つの桁の長手方向の端面を、その柱の外面と桁の外面との間に段差を有して突き当て連結し、
前記２つの桁の外面に、化粧部材取付部を備えた桁用取付部材を、その化粧部材取付部を柱の外面よりも外側に張り出してそれぞれ取付け、
前記各桁用取付部材の化粧部材取付部に桁化粧部材を取付け、前記柱を境として隣接した２つの桁の外面と柱の外面に桁化粧部材を連続させたことを特徴とする屋外構造物。
【請求項２】
柱の２つの桁取付面と２つの外面は、それぞれ所定の角度で隣接し、２つの桁は所定の角度で隣接し、
前記２つの桁の外面に取付けた桁用取付部材の化粧部材取付部は、その桁の長手方向の端面よりも柱の２つの外面までそれぞれ突出し、
その各桁用取付部材の化粧部材取付部に桁化粧部材をそれぞれ取付け、この各桁化粧部材の長手方向の端面を柱のコーナー部と対向した位置で接するようにした請求項１記載の屋外構造物。
【請求項３】
柱の２つの桁取付面は相対向し、その２つの桁取付面に取付けた２つの桁は一直線状で、前記２つの桁の外面に取付けた桁用取付部材の少なくとも一方の化粧部材取付部は、その桁の長手方向の端面よりも前記柱の外面まで突出し、
この化粧部材取付部間に亘って桁化粧部材を取付けた請求項１記載の屋外構造物。
【請求項４】
桁用取付部材は、桁の外面に取付けるベースと、このベースに取付け、かつ化粧部材取付部を有するアタッチメントを備え、このアタッチメントの化粧部材取付部に桁化粧部材を取付けるようにした請求項１〜３いずれか１項記載の屋外構造物。
【請求項５】
２つの桁取付面と２つの外面がそれぞれ所定の角度で隣接した柱とし、その柱の前記２つの桁取付面に、２つの桁の長手方向の端面を、その柱の外面と桁の外面との間に段差を有して突き当てて連結し、
前記柱の２つの外面に亘ってコーナー部品を取付け、
前記２つの桁の外面に、化粧部材取付部を備えた桁用取付部材を取付け、その化粧部材取付部を、柱の外面よりも外側に張り出し、かつ桁の長手方向の端面よりも柱の２つの外面まで突出して前記コーナー部品に略面一となるように連設し、
前記各化粧部材取付部と前記コーナー部品とに桁化粧部材をそれぞれ取付け、前記柱を境として隣接した２つの桁の外面と柱の外面に桁化粧部材を連続させたことを特徴とする屋外構造物。
【請求項６】
桁用取付部材を、桁の外面に取付けるベースと、このベースに取付け、かつ化粧部材取付部を有するアタッチメントで構成し、
２つの桁の外面にベースをそれぞれ取付け、その各ベースにアタッチメントを、柱の２つの外面まで突出させてそれぞれ取付け、
コーナー部品を一側片と他側片で鉤形状とし、その一側片、他側片を柱の２つの外面に取付け、
前記各アタッチメントの化粧部材取付部、一側片、他側片に桁化粧部材をそれぞれ取付けた請求項５記載の屋外構造物。
【請求項７】
桁用取付部材の化粧部材取付部の形状と、桁化粧部材の形状を、桁化粧部材が化粧部材取付部に対して長手方向にスライド可能なものとした請求項１〜６何れか一項記載の屋外構造物。
【発明の詳細な説明】
【技術分野】
【０００１】
本発明は、テラス、バルコニー、パーゴラ、カーポート、サンルーム等の屋外構造物に関する。
【背景技術】
【０００２】
従来、屋外構造物としては柱に桁を連結したものが知られている。
例えば、特許文献１に開示したように、柱の桁取付面に前桁、側桁の端面を突き当てて連結して枠体とし、その枠体に屋根体を取付けたテラスが知られている。
また、桁に化粧部材を取付けて意匠性を向上した屋外構造物が知られている。
例えば、特許文献２に開示したように、桁の外面に化粧部材を取付けたパーゴラが知られている。
【０００３】
【特許文献１】特開２００３−３４３００９号公報
【特許文献２】実用新案登録第２５３６２５２号公報
【発明の開示】
【発明が解決しようとする課題】
【０００４】
従来のように、柱の桁取付面に桁の長手方向の端面を突き当てて連結する場合に、その柱の桁取付面の幅と桁の幅が同一であると、柱の桁取付面に桁を直角でなく斜めに連結した場合に、桁の端面の長さが柱の桁取付面の幅よりも長くなるので、桁の端面が柱の桁取付面よりも張り出してしまう。
このことを解消するために、通常は柱の桁取付面の幅を桁の幅よりも大きくして、前述のように桁を斜めに連結しても桁の端面が柱の桁取付面から張り出すことがないようにしている。
このために、柱の外面と桁の外面が面一にならずに段差が生じてしまう。
【０００５】
前述のように段差があると、柱を境として隣接した２つの桁の外面に化粧部材を取付けた場合に、その段差の部分において化粧部材が途切れて連続性がなくなってしまうので、意匠性を十分に向上できないことがある。
【０００６】
本発明の目的は、柱を境として隣接した２つの桁の外面と柱の外面に桁化粧部材を柱の外面と桁の外面の段差の部分において桁化粧部材が途切れることなく連続して取付けできるようにした屋外構造物を提供することである。
【課題を解決するための手段】
【０００７】
本発明は、柱の２つの桁取付面に、２つの桁の長手方向の端面を、その柱の外面と桁の外面との間に段差を有して突き当て連結し、
前記２つの桁の外面に、化粧部材取付部を備えた桁用取付部材を、その化粧部材取付部を柱の外面よりも外側に張り出してそれぞれ取付け、
前記各桁用取付部材の化粧部材取付部に桁化粧部材を取付け、前記柱を境として隣接した２つの桁の外面と柱の外面に桁化粧部材を連続させたことを特徴とする屋外構造物である。
【０００８】
本発明においては、柱の２つの桁取付面と２つの外面は、それぞれ所定の角度で隣接し、２つの桁は所定の角度で隣接し、
前記２つの桁の外面に取付けた桁用取付部材の化粧部材取付部は、その桁の長手方向の端面よりも柱の２つの外面までそれぞれ突出し、
その各桁用取付部材の化粧部材取付部に桁化粧部材をそれぞれ取付け、この各桁化粧部材の長手方向の端面を柱のコーナー部と対向した位置で接するようにすることができる。
【０００９】
このようにすれば、２つの桁用取付部材に取付けた２つの桁化粧部材の端面を柱のコーナー部で接して連続させることができるので、複数の柱と複数の桁を用いることで平面形状が矩形状、コ字状などの屋外構造物とすることができる。
【００１０】
本発明においては、柱の２つの桁取付面は相対向し、その２つの桁取付面に取付けた２つの桁は一直線状で、前記２つの桁の外面に取付けた桁用取付部材の少なくとも一方の化粧部材取付部は、その桁の長手方向の端面よりも前記柱の外面まで突出し、
この化粧部材取付部間に亘って桁化粧部材を取付けることができる。
【００１１】
このようにすれば、２つの桁が柱を境として一直線状に連続した屋外構造物とすることができる。
【００１２】
本発明においては、桁用取付部材は、桁の外面に取付けるベースと、このベースに取付け、かつ化粧部材取付部を有するアタッチメントを備え、このアタッチメントの化粧部材取付部に桁化粧部材を取付けることができる。
【００１３】
このようにすれば、アタッチメントが化粧部材取付部となるから、そのアタッチメントの長さを調整することで柱の外面まで突出することができる。
【００１４】
本発明は、２つの桁取付面と２つの外面がそれぞれ所定の角度で隣接した柱とし、その柱の前記２つの桁取付面に、２つの桁の長手方向の端面を、その柱の外面と桁の外面との間に段差を有して突き当てて連結し、
前記柱の２つの外面に亘ってコーナー部品を取付け、
前記２つの桁の外面に、化粧部材取付部を備えた桁用取付部材を取付け、その化粧部材取付部を、柱の外面よりも外側に張り出し、かつ桁の長手方向の端面よりも柱の２つの外面まで突出して前記コーナーに略面一となるように連設し、
前記各化粧部材取付部と前記コーナー部品とに桁化粧部材をそれぞれ取付け、前記柱を境として隣接した２つの桁の外面と柱の外面に桁化粧部材を連続させたことを特徴とする屋外構造物とすることもできる。
【００１５】
前述した発明においては、桁用取付部材を、桁の外面に取付けるベースと、このベースに取付け、かつ化粧部材取付部を有するアタッチメントで構成し、
２つの桁の外面にベースをそれぞれ取付け、その各ベースにアタッチメントを、柱の２つの外面まで突出させてそれぞれ取付け、
コーナー部品を一側片と他側片で鉤形状とし、その一側片、他側片を柱の２つの外面に取付け、
前記各アタッチメントの化粧部材取付部、一側片、他側片に桁化粧部材をそれぞれ取付けることができる。
【００１６】
本発明においては、桁用取付部材の化粧部材取付部の形状と、桁化粧部材の形状を、桁化粧部材が化粧部材取付部に対して長手方向にスライド可能なものにできる。
【００１７】
このようにすれば、桁用取付部材と桁化粧部材の線膨張係数が異なる場合に、気温や直射日光による熱伸びの差によって桁化粧部材が長手方向に反ることを防止できる。
【発明の効果】
【００１８】
本発明によれば、２つの桁の外面と柱の外面とに亘って取付けた桁化粧部材が、柱の外面と桁の外面の段差の部分において途切れることなく連続するので、柱を境として隣接した２つの桁の外面と柱の外面に桁化粧部材を連続して取付けることができる。
【発明を実施するための最良の形態】
【００１９】
図１と図２に示すように、屋外構造物は柱１を備え、この柱１の２つの桁取付面１ａに２つの桁２の長手方向の端面２ａを突き当てて連結してある。
この２つの桁２は柱１を境として隣接している。
前記柱１の桁取付面１ａの幅は桁２の幅よりも大きく、柱１の外面１ｂと桁２の外面２ｂは面一に連続せずに段差３を有している。前述の柱１の外面１ｂ、桁２の外面２ｂとは、柱１、桁２で構成した屋外構造物の外側に見えている面のことをいう。
【００２０】
この実施の形態では柱１の２つの桁取付面１ａは所定の角度で隣接し、かつ２つの外面２ｂも所定の角度で隣接して柱１は矩形断面形状で、２つの桁２は所定の角度で隣接している。例えば、９０度の角度で隣接している。この２つの外面２ｂは２つの桁取付面２ａを連続している。
このようであるから、２本の柱１を用いて躯体に取付けることで平面コ字状の枠体にできるし、４本の柱１を用いれば平面矩形状の枠体を形成できる。柱１の断面形状は矩形に限ることはなく、三角形、五角形以上の多角形でも良い。つまり、２つの桁取付面１ａと、この２つの桁取付面１ａを連続する外面１ｂで囲まれた形状であれば良い。
【００２１】
前記各桁２の外面２ｂに桁用取付部材４をそれぞれ取付ける。この各桁用取付部材４は化粧部材取付部４ａを備え、その化粧部材取付部４ａは柱１の外面１ｂよりも外側に張り出している。
つまり、この化粧部材取付部４ａの内外方向（幅方向）の位置を、その化粧部材取付部４ａに取付けた桁化粧材５を、桁２の端面２ａよりも柱１の外面１ｂまで突出した時に、その桁化粧材５が柱１の外面２ｂと干渉しないようにしてある。
前記各桁用取付部材４に桁化粧部材５をそれぞれ取付け、その各桁化粧部材５を、桁２の端面２ａよりも柱１の外面１ｂまで突出して長手方向の端面相互を突き合わせる。
これによって、柱１の外面１ｂと桁２の外面２ｂとの間に段差３があっても、柱１を境として隣接した２つの桁２の外面２ｂと柱１の外面１ｂに桁化粧部材５を、その段差３の部分で途切れることなく連続させることができる。
【００２２】
この実施の形態では、化粧部材取付部４ａは、柱１の外面１ｂよりも外側に張り出していると共に、桁２の長手方向の端面２ａよりも柱１の外面１ｂまで突出している。
そして、２つの桁用取付部材４の化粧部材取付部４ａは柱１の外面１ｂと対向した位置で接している。例えば、化粧部材取付部４ａの長手方向の端面４ｂが柱１の２つの外面１ｂでなすコーナー部１ｃと対向した位置で接している。
これによって、２つの桁用取付部材４の化粧部材取付部４ａは柱１の外面１ｂよりも外側において連続する。
前記２つの桁用取付部材４の化粧部材取付部４ａに桁化粧部材５をそれぞれ取付け、その２つの桁化粧部材５を柱１のコーナー部１ｃと対向した位置で接する。
これによって、柱１の外面１ｂと桁２の外面２ｂとの間に段差３があっても、柱１を境として隣接した２つの桁２の外面２ｂと柱１の外面１ｂに桁化粧部材５を、その段差３の部分で途切れることなく連続させることができると共に、桁化粧部材５を柱１の外面１ｂにおいても取付けできるから取付け強度が大である。
【００２３】
次に、好ましい実施の形態について説明する。
前記桁用取付部材４の化粧部材取付部４ａの形状と、桁化粧部材５の形状は、その桁化粧部材５を化粧部材取付部４ａに嵌め込むことで外れないように取付けできるようにしてある。
例えば、桁化粧部材５を化粧部材取付部４ａに長手方向からスライドして嵌め込むことで外れないように取付けできる形状、又は桁化粧部材５を化粧部材取付部４ａに長手方向に重ね合わせ、その状態で桁化粧部材５を押し込むことで嵌め込んで外れないように取付けできる形状とする。
【００２４】
このようにすれば、桁化粧部材５を桁用取付部材４に簡単に取付けできると共に、ビスなどを用いていないので外観の見栄えが良い。
【００２５】
また、前記桁用取付部材４の化粧部材取付部４ａと化粧部材５は、長手方向に相対的に移動可能に取付けてある。
このようにすることで、化粧部材取付部４ａと化粧部材５の線膨張係数が異なる場合に、気温や直射日光による熱伸びの差を吸収して化粧部材取付部４ａと化粧部材５が長手方向に反ることを防止できる。
例えば、化粧部材取付部４ａがアルミ製で、化粧部材５が木粉に樹脂を混合して加圧成形した再生木の場合には、両者の線膨張係数が大きく異なるため、気温や直射日光による熱伸びの差が大きいので、前述のようにすることが反り防止のためにより一層効果的である。
【００２６】
前記化粧部材５は長尺な中間化粧部材５ａと、柱１近くの短尺なコーナー化粧部材５ｂを有し、コーナー目地部５ｃ、コーナー寄り目地部５ｄを有して取付けられている。
そして、中間化粧部材５ａの長手方向中央部を固定してある。
このようにすることで、化粧部材５の熱伸びをコーナー目地部５ｃ、コーナー寄り目地部５ｄで吸収できる。
【００２７】
前記柱１の外面１ｂにも柱用取付部材６を介して柱化粧部材７が取付けてある。
このようにすれば、桁２の外面２ｂと柱１の外面１ｂがそれぞれ化粧部材７で覆われているので、見栄えの良い屋外構造物となる。
【００２８】
前記桁用取付部材４は図２、図３に示すように、ベース１０とアタッチメント２０を備えている。そのベース１０が桁１の外面１ｂに固着して取付けられる。このベース１０にアタッチメント２０が固着して取付けられ、このアタッチメント２０に桁化粧部材５が取付けられる。つまり、アタッチメント２０が前述の化粧部材取付部４ａを有している。
具体的には、ベース１０の長手方向の端面１０ａを柱１の桁取付面１ａに接するように桁２の外面２ｂに固着して取付ける。
前記アタッチメント２０の長手方向の端面２０ａ（前述の化粧部材取付部４ａの端面４ｂ）を４５度に切断し、２つのアタッチメント２０を、その長手方向の端面２０ａ相互が接すると共に、その接合部が柱１の２つの外面１ｂでなすコーナー部１ｃと対向するようにする。
前記桁化粧部材５の長手方向の端面５ｅを４５度に切断し、２つの桁化粧部材５の端面５ｅ相互が接すると共に、その接合部が柱１のコーナー部１ｃ、アタッチメント２０の接合部と対向するようにすることで、２つの桁化粧部材５で柱１の２つの外面２ｂ、アタッチメント２０を覆う。
【００２９】
前記ベース１０は図４に示すように、縦板１１と、この縦板１１に一体的に設けた取付横片１２、複数の支持片１３を備え、その縦板１１の上下方向長さ（ベース１０の上下寸法）は桁２の高さ（上面２ｃと下面２ｄとの間の寸法）とほぼ同一である。
前記縦板１１が桁２の外面２ｂに固着具、例えばビス１４で固着して取付けられる。前記取付横片１２、支持片１３は柱１の外面１ｂよりも外側に突出する。
前記取付横片１２は縦板１１の上端部に一体的に設けてある。前記支持片１３は縦板１１の上下中間部と下端部にそれぞれ一体的に設けてあり、その支持片１３は上向き鉤形状である。
【００３０】
前記アタッチメント２０は縦板２１と、この縦板２１の裏面（内面）に設けた取付横片２２、載置片２３、取付凹陥部２４と、前記縦板２１の表面（外面）に上下方向に間隔を置いて設けた複数の受片２５を備えている。
前記上下に隣接する受片２５と縦板２１で嵌合凹部２６をそれぞれ形成し、この嵌合凹部２６に桁化粧部材５が嵌め込んで取付けてある。
例えば、桁化粧部材５の上下端面に溝５ｆが長手方向に連続して形成してある。この溝５ｆを受片２５に長手方向からスライドして嵌め込むことで桁化粧部材５が取付けられる。
前記アタッチメント２０の取付横片２２、載置片２３をベース１０の取付横片１２、上下中間の支持片１３に接すると共に、取付凹陥部２４を下部の支持片１３に嵌合して仮取付けし、ビス２７で取付横片２２と取付横片１２を固着してアタッチメント２０をベース１０に取付ける。
前述のように、アタッチメント２０の取付凹陥部２４が化粧部材取付部４ａで、その取付凹陥部２４を形成する部分は柱１の外面１ｂと対向してコーナー部１ｃまで延設し、その載置片２３、取付凹陥部２４を形成する上下横片２４ａ，２４ｂが柱１の外面１ｂに接する。
【００３１】
前記柱用取付部材６はベース３０とアタッチメント４０を備えている。
前記ベース３０は図５に示すように、縦板３１の幅方向一端部に取付片３２、他端部に係止片３３をそれぞれ一体的に設けてある。
前記縦板３１を柱１の外面１ｂに固着具、例えばビス３４で固着して取付けてある。
前記アタッチメント４０は縦板４１の裏面に一対の支持片４２と係止受片４３を一体的に設けてある。その縦板４１の表面に一対の受片４４を一体的に設け、その一対の受片４４と縦板４１で嵌合凹部４５を形成している。この実施の形態では、その嵌合凹部４５は前述の桁取付用部材４のアタッチメント２０の嵌合凹部２６と同一形状である。
そして、アタッチメント４０の支持片４２は柱１の外面１ｂに接すると共に係止受片４３を係止片３３に係合して仮取付けし、一方の支持片４２と取付片３２をビス４６で固着してベース３０にアタッチメント４０を取付ける。
【００３２】
前記柱化粧部材７は、前述の桁化粧部材５と同一断面形状で、その溝７ａを受片４４に嵌め込んで取付ける。
前記アタッチメント４０の上端面には図４に示すようにプレート４７が接し、縦板４１のビスホール４１ａに螺合したビス４８で固着してある。
図４でアタッチメント２０と桁化粧部材５はビス２８で連結してあるが、このビス２８は前述の中間桁化粧部材５ａの長手方向中央部を固着するものである。
【００３３】
前述の説明では、柱１の隣接した桁取付面１ａ（直角となった２つの桁取付面１ａ）に桁２の端面２ａを突き当てて連結したが、柱１の相対向した２つの桁取付面１ａ（平行となった２つの桁取付面１ａ）に桁２の端面２ａを突き当てて連結する場合でも、前述と同様に桁化粧部材５を取付けることができる。
例えば、図６に示すように柱１の対向した２つの桁取付面１ａに桁２の端面２ａをそれぞれ突き当てて連結し、柱１を境として隣接した２つの桁２を一直線状としてある。
その２つの桁２の外面２ｂにベース１０をそれぞれ固着して取付ける。
この２つのベース１０は柱１を境として左右に位置する。
前記２つのベース１０に亘って１つのアタッチメント２０を取付け、そのアタッチメント２０に桁化粧部材５を取付ける。アタッチメント２０は各ベース部にそれぞれ取付けても良い。つまり、２つの桁２の外面２ｂに取付けた２つの桁用取付部材４の化粧部材取付部４ａを柱１の外面１ｂよりも外側に張り出し、少なくとも一方の化粧部材取付部４ａを、桁２の端面２ａよりも柱１の外面１ｂまで突出させ、桁化粧部材５を取付ける。
このようにすることで、柱１の外面１ｂと桁２の外面２ｂが段差３を有している場合でも、２つの桁２の外面２ｂに連続して桁化粧部材５を取付けできる。
【００３４】
次に、本発明の第２の実施の形態を説明する。
図７、図８に示すように、この実施の形態は桁取付用部材４、桁化粧部材５が前述の第１の実施の形態と同一で、そのアタッチメント２０、桁化粧部材５を短くして柱１のコーナー部１ｃで接することがなく、離隔するようにすると共に、柱１のコーナー部１ｃを境とした２つの外面１ｂに亘ってコーナー部品５０を取付け、このコーナー部品５０にコーナー桁化粧部材５ｂを取付けることが第１の実施の形態と相違する。
なお、柱取付用部材６、柱化粧部材７は前述の第１の実施の形態と同様である。
【００３５】
前記コーナー部品５０は図９、図１０に示すように、一側片５１と他側片５２で平面鉤形状で、その一側片５１、他側片５２に取付片５３が設けてある。その各取付片５３をビス５４で柱１の２つの外面１ｂに固着することで一側片５１、他側片５２の裏面が柱１の２つの外面１ｂに接して取付けられる。
前記一側片５１、他側片５２の表面には凹部５５がそれぞれ形成してあり、この各凹部５５にコーナー化粧部材５ｂがそれぞれ嵌め込まれていると共に、ビス５６で固着してある。
このコーナー化粧部材５ｂの長手方向の一端面は４５度に切断されて突き合わせてある。他端面は一側片５１、他側片５２の端面５１ａ，５２ｂよりもコーナー部寄りである。
【００３６】
前記一側片５１、他側片５２の長さは柱１の外面１ｂの幅（左右方向の寸法）よりも短く、その端面５１ａ，５２ａは柱１の外面１ｂの幅方向中間に位置している。
前記桁用取付部材４のアタッチメント２０（化粧部材取付部４ａ）は桁２の端面２ａよりも柱１の外面１ｂまで突出し、その外面１ｂの幅方向中間に位置して前記一側片５１、他側片５２の端面５１ａ，５２ａと対向、好ましくは接している。すなわち、化粧部材取付部４ａはコーナー部品５０に略面一となるように連設している。これによって、前記取付片５３はアタッチメント２０で覆われて外部から目視されない。
そして、桁化粧部材５（中間化粧部材５ａ）とコーナー化粧部材５ｂとの間にコーナー寄り目地部５ｄを形成している。
【図面の簡単な説明】
【００３７】
【図１】本発明の第１の実施の形態を示す柱と桁と化粧部材の連結状態の斜視図である。
【図２】本発明の第１の実施の形態を示す柱と桁と化粧部材の分解斜視図である。
【図３】本発明の第１の実施の形態を示す桁用取付部材、桁化粧部材を外した状態の平面図である。
【図４】桁化粧部材の取付部分の拡大断面図である。
【図５】柱化粧部材の取付部分の平面図である。
【図６】桁用取付部材と桁化粧部材を外した状態の他の例を示す平面図である。
【図７】本発明の第２の実施の形態を示す柱と桁と化粧部材の連結状態の斜視図である。
【図８】本発明の第２の実施の形態を示す柱と桁と化粧部材の分解斜視図である。
【図９】柱部分の横断面図である。
【図１０】柱とコーナー部品とアタッチメントと桁化粧部材の分解斜視図である。
【符号の説明】
【００３８】
１…柱、１ａ…桁取付面、１ｂ…外面、２…桁、２ａ…端面、２ｂ…外面、３…段差、４…桁用取付部材、４ａ…化粧部材取付部、５…桁化粧部材、１０…ベース、２０…アタッチメント、５０…コーナー部品、５１…一側片、５２…他側片。
【図１】
0004646071.tif 000002
【図２】
0004646071.tif 000003
【図３】
0004646071.tif 000004
【図４】
0004646071.tif 000005
【図５】
0004646071.tif 000006
【図６】
0004646071.tif 000007
【図７】
0004646071.tif 000008
【図８】
0004646071.tif 000009
【図９】
0004646071.tif 000010
【図１０】
0004646071.tif 000011